(57)【要約】【課題】本発明は、他の部品の配置や他の部品との取り付けに支障を来すことがないようにケーブルを配置することを目的としている。【解決手段】液晶表示装置は、複数のＬＥＤ２４がそれぞれに実装された複数のＬＥＤ基板３２と、複数のＬＥＤ基板３２を収容し、複数のＬＥＤ基板３２と対向する第１面３８と、複数のＬＥＤ基板３２の周囲で第１面３８から立ち上がる第２面４０と、第１面３８とは反対側の第３面４２と、を有するフレーム３６と、それぞれのＬＥＤ基板３２に取り付けられたコネクタ３４と、フレーム３６の第３面４２に配置された回路基板５０と、コネクタ３４と回路基板５０とを電気的に接続するケーブル５２と、を有する。ケーブル５２は、第１面３８上で複数のＬＥＤ基板３２を迂回してコネクタ３４から回路基板５０に近づく方向に延び、第１面３８から第３面４２にフレーム３６を貫通して、第３面４２上で回路基板５０に電気的に接続される。【選択図】図４
2010230951.tif 000002
【特許請求の範囲】
【請求項１】
液晶表示パネルと、
複数のＬＥＤがそれぞれに実装された複数のめｍＬＥＤ基板と、
前記複数のＬＥＤ基板を収容し、前記複数のＬＥＤ基板と対向する第１面と、前記複数のＬＥＤ基板の周囲で前記第１面から立ち上がる第２面と、前記第１面とは反対側の第３面と、を有するフレームと、
それぞれの前記ＬＥＤ基板に取り付けられたコネクタと、
前記フレームの前記第３面に配置された回路基板と、
前記コネクタと前記回路基板とを電気的に接続するケーブルと、
を有し、
少なくとも１つの前記ケーブルは、前記第１面上で前記複数のＬＥＤ基板を迂回して前記コネクタから前記回路基板に近づく方向に延び、前記第１面から前記第３面に前記フレームを貫通して、前記第３面上で前記回路基板に電気的に接続されることを特徴とする液晶表示装置。
【請求項２】
請求項１に記載された液晶表示装置において、
前記複数のＬＥＤ基板は、前記第１面の端部を避けて配置され、
前記少なくとも１つの前記ケーブルは、前記第１面の前記端部上を通るように配置されていることを特徴とする液晶表示装置。
【請求項３】
請求項２に記載された液晶表示装置において、
前記複数のＬＥＤをそれぞれ内側に配置する複数の穴を有して前記複数のＬＥＤ基板上に配置された反射シートをさらに有し、
前記反射シートは、前記ケーブルの上方を覆って、前記第２面の上方を超えるように拡がる形状であることを特徴とする液晶表示装置。
【発明の詳細な説明】
【技術分野】
【０００１】
本発明は、液晶表示装置に関する。
【背景技術】
【０００２】
液晶表示装置のバックライトの光源にＬＥＤ（Light Emitting Diode）を使用することが知られている。例えば、特許文献１又は２に開示される構造では、複数のＬＥＤ基板のそれぞれに複数のＬＥＤが実装されている。複数のＬＥＤ基板にはコネクタが取り付けられており、駆動回路に接続するためのケーブルが設けられる。複数のＬＥＤ基板は、フレームに収容されるのでケーブルをどのように配置するかが問題となる。
【先行技術文献】
【特許文献】
【０００３】
【特許文献１】特開２００７−３０５５８４号公報
【特許文献２】特開２００７−３１１５６１号公報
【発明の概要】
【発明が解決しようとする課題】
【０００４】
ケーブルをフレームの裏面（ＬＥＤ基板が配置される面とは反対の面）に配置すると、他の部品を配置するスペースを狭めてしまう。また、フレームが、他の部品との取り付け部を有するときには、この部分にケーブルを配置すると、取り付けが難しくなる。
【０００５】
本発明は、他の部品の配置や他の部品との取り付けに支障を来すことがないようにケーブルを配置することを目的としている。
【課題を解決するための手段】
【０００６】
（１）本発明に係る液晶表示装置は、液晶表示パネルと、複数のＬＥＤがそれぞれに実装された複数のＬＥＤ基板と、前記複数のＬＥＤ基板を収容し、前記複数のＬＥＤ基板と対向する第１面と、前記複数のＬＥＤ基板の周囲で前記第１面から立ち上がる第２面と、前記第１面とは反対側の第３面と、を有するフレームと、それぞれの前記ＬＥＤ基板に取り付けられたコネクタと、前記フレームの前記第３面に配置された回路基板と、前記コネクタと前記回路基板とを電気的に接続するケーブルと、を有し、少なくとも１つの前記ケーブルは、前記第１面上で前記複数のＬＥＤ基板を迂回して前記コネクタから前記回路基板に近づく方向に延び、前記第１面から前記第３面に前記フレームを貫通して、前記第３面上で前記回路基板に電気的に接続されることを特徴とする。本発明によれば、少なくとも１つのケーブルが第１面上に配置されているので、他の部品の配置や他の部品との取り付けに支障を来すことがない。
【０００７】
（２）（１）に記載された液晶表示装置において、前記複数のＬＥＤ基板は、前記第１面の端部を避けて配置され、前記少なくとも１つの前記ケーブルは、前記第１面の前記端部上を通るように配置されていることを特徴としてもよい。
【０００８】
（３）（２）に記載された液晶表示装置において、前記複数のＬＥＤをそれぞれ内側に配置する複数の穴を有して前記複数のＬＥＤ基板上に配置された反射シートをさらに有し、前記反射シートは、前記ケーブルの上方を覆って、前記第２面の上方を超えるように拡がる形状であることを特徴としてもよい。
【図面の簡単な説明】
【０００９】
【図１】本発明の実施の形態に係る液晶表示装置の一部を示す断面図である。
【図２】図１に示すバックライトを、拡散板を取り外して示す平面図である。
【図３】図２に示すバックライトのIII-III線断面の拡大図である。
【図４】図２に示すバックライトを、反射シートを取り外して示す平面図である。
【図５】図４に示すバックライトのＶ-Ｖ線断面の拡大図である。
【図６】図４に示すバックライトの底面図である。
【発明を実施するための形態】
【００１０】
以下、本発明の実施の形態について、図面を参照して説明する。
【００１１】
図１は、本発明の実施の形態に係る液晶表示装置の一部を示す断面図である。液晶表示装置は、液晶表示パネル１０を有する。
【００１２】
液晶表示パネル１０は、一対の基板１２を有し、両者間には液晶１４が介在する。一方の基板１２は、薄膜トランジスタ、画素電極及び配線などを含むＴＦＴ（Thin Film Transistor）基板（又はアレイ基板）であり、他方の基板１２はカラーフィルタ基板である。液晶表示パネル１０の駆動方式は、IPS（In Plane Switching）方式、TN（Twisted Nematic）方式又はVA（Vertical Alignment）方式などいずれの方式であってもよく、方式に応じた電極及び配線が形成される。液晶表示パネル１０にはフレキシブル配線基板１６が取り付けられている。フレキシブル配線基板１６は、液晶表示パネル１０のドライバ回路を内蔵した集積回路チップ１８が搭載された回路基板２０に電気的に接続されている。
【００１３】
液晶表示装置は、バックライト２２を有する。バックライト２２は、光源となる複数のＬＥＤ２４を有する。ＬＥＤ２４から間隔をあけて拡散板２６が配置されている。拡散板２６によって、ＬＥＤ２４から放出された光を拡散させて明るさのムラを減少させている。
【００１４】
図２は、図１に示すバックライト２２を、拡散板２６を取り外して示す平面図である。図３は、図２に示すバックライト２２のIII-III線断面の拡大図である。バックライト２２は、反射シート２８を有する。反射シート２８には複数の穴３０が形成されており、複数の穴３０に複数のＬＥＤ２４がそれぞれ挿通されている。ＬＥＤ２４から放出された光は反射シート２８で反射する。
【００１５】
図４は、図２に示すバックライト２２を、反射シート２８を取り外して示す平面図である。図５は、図４に示すバックライト２２のＶ-Ｖ線断面の拡大図である。バックライト２２は、複数のＬＥＤ基板３２を有する。複数のＬＥＤ基板３２は複数行複数列に並べられている。各ＬＥＤ基板３２は、長方形の平面形状を有している。短辺同士を対向させて２つのＬＥＤ基板３２が並べられている。また、隣同士の長辺が対向するように複数のＬＥＤ基板３２が並べられている。
【００１６】
それぞれのＬＥＤ基板３２に、複数のＬＥＤ２４が実装されている。各ＬＥＤ基板３２でＬＥＤ２４の明るさが異なるように調整されている。あるいは、各ＬＥＤ基板３２のＬＥＤ２４の特性の違いに応じて、ＬＥＤ基板３２ごとに異なる電圧を加えることで、全てのＬＥＤ基板３２のＬＥＤ２４の明るさを均一にしてもよい。複数のＬＥＤ基板３２上に反射シート２８（図２参照）が配置されている。
【００１７】
それぞれのＬＥＤ基板３２にはコネクタ３４が取り付けられている。コネクタ３４は、対応するＬＥＤ基板３２に搭載された複数のＬＥＤ２４に電気的に接続されている。図４の例では、長方形のＬＥＤ基板３２の長手方向の一方の端部にコネクタ３４が配置されている。そして、短辺同士が対向する２つのＬＥＤ基板３２には、それぞれ、相互に長手方向に最も離れた端部にコネクタ３４が配置されている。
【００１８】
バックライト２２は、フレーム３６を有する。フレーム３６は、複数のＬＥＤ基板３２を収容している。フレーム３６は、複数のＬＥＤ基板３２と対向する第１面３８を有する。ＬＥＤ基板３２は第１面３８に貼り付けられている。第１面３８は、長方形になっており、その長辺とＬＥＤ基板３２の長辺が平行になっている。複数のＬＥＤ基板３２は、第１面３８の端部（周端部）を避けて配置されている。すなわち、第１面３８は、複数のＬＥＤ基板３２が取り付けられても、端部がＬＥＤ基板３２から露出している。
【００１９】
フレーム３６は、複数のＬＥＤ基板３２の周囲で第１面３８から立ち上がる第２面４０を有する。第２面４０は、第１面３８から垂直に立ち上がってもよいし、斜めに立ち上がってもよい。反射シート２８は、第１面３８の上方から第２面４０の上方を超えるように拡がる形状である。
【００２０】
図６は、図４に示すバックライト２２の底面図である。フレーム３６は、第１面３８とは反対側の第３面４２を有する。第３面４２も、長方形になっており、その長辺と第１面３８の長辺が平行になっている。フレーム３６は、第１面３８及び第３面４２を貫通する貫通穴４４を有する。貫通穴４４は、第１面３８及び第３面４２の端部に位置する。貫通穴４４は、ＬＥＤ基板３２によって覆われないように位置している。
【００２１】
貫通穴４４は、第１面３８又は第３面４２の短辺側の端部に位置する第１貫通穴４６と、第１面３８又は第３面４２の長辺側の端部に位置する第２貫通穴４８と、を含む。第１貫通穴４６は、短辺同士を対向させた一対のＬＥＤ基板３２の一方（図４では上側）に取り付けられたコネクタ３４の隣に形成されているが、他方のＬＥＤ基板３２（図４では下側）に取り付けられたコネクタ３４の隣には第１貫通穴４６は形成されていない。また、第２貫通穴４８は、第１面３８又は第３面４２の長辺の中間よりも、第１貫通穴４６に近づくようにずれて形成されている。第２貫通穴４８は、短辺同士を対向させた一対のＬＥＤ基板３２の一方（図４では上側）の隣に形成されているが、他方のＬＥＤ基板３２（図４では下側）の隣には第２貫通穴４８は形成されていない。
【００２２】
フレーム３６の第３面４２には、貫通穴４４を塞がないように、回路基板５０が配置されている。回路基板５０には、ＬＥＤ２４を制御するための図示しない電子部品が搭載されている。回路基板５０は、第１面３８又は第３面４２の中央よりも、貫通穴４４に近づく方向にずれて位置している。
【００２３】
バックライト２２は、コネクタ３４と回路基板５０とを電気的に接続するケーブル５２を有する。なお、反射シート２８は、ケーブル５２の上方を覆うように配置されている。ケーブル５２は、第１ケーブル５４と第２ケーブル５６を含む。
【００２４】
第１貫通穴４６が隣に形成されているコネクタ３４から延びる第１ケーブル５４は、最も近い第１貫通穴４６を介して第１面３８から第３面４２にフレーム３６を貫通し、第３面４２上で回路基板５０に電気的に接続されている。
【００２５】
第２ケーブル５６は、第１面３８上で複数のＬＥＤ基板３２を迂回してコネクタ３４から回路基板５０に近づく方向に延びている。詳しくは、第１貫通穴４６が隣に形成されないコネクタ３４から延びる第２ケーブル５６は、第１面３８の端部上を通るように配置されている。第２ケーブル５６は、第２貫通穴４８を介して第１面３８から第３面４２にフレーム３６を貫通している。第２ケーブル５６も、第３面４２上で回路基板５０に電気的に接続されている。
【００２６】
本実施の形態によれば、少なくとも１つのケーブル５２が第１面３８上に配置されているので、他の部品の配置や他の部品との取り付けに支障を来すことがない。
【００２７】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００２８】
１０  液晶表示パネル、１２  基板、１４  液晶、１６  フレキシブル配線基板、１８  集積回路チップ、２０  回路基板、２２  バックライト、２４  ＬＥＤ、２６  拡散板、２８  反射シート、３０  穴、３２  ＬＥＤ基板、３４  コネクタ、３６  フレーム、３８  第１面、４０  第２面、４２  第３面、４４  貫通穴、４６  第１貫通穴、４８  第２貫通穴、５０  回路基板、５２  ケーブル、５４  第１ケーブル、５６  第２ケーブル。
【図１】
2010230951.tif 000003
【図２】
2010230951.tif 000004
【図３】
2010230951.tif 000005
【図４】
2010230951.tif 000006
【図５】
2010230951.tif 000007
【図６】
2010230951.tif 000008